(57)【要約】【課題】ケーブルの絡まりを防止しつつ簡便に余長を保持することにより、余長の有効活用を可能にし、資源の有効活用及びネットワーク構築コストを低減することができる、８の字巻きしたケーブルを収納するケーブル用収納箱及びこれを用いた余長収納方法を提供する。【解決手段】ケーブル用収納箱１１は、８の字巻きしたケーブル１５を収納するものであって、外側面１２ａから外方へ突出された取り出し口１８の突出部分が、余分に引き出された余長ケーブル１５Ｂを巻き付け可能な余長保持部２０とされている。【選択図】図３
2010168102.tif 000002
【特許請求の範囲】
【請求項１】
８の字巻きしたケーブルを収納するケーブル用収納箱であって、
前記ケーブルが引き出される筒状の取り出し口が、外側面の少なくとも一つから外方へ突出され、
前記取り出し口の前記外側面からの突出部分が、余分に引き出された余長ケーブルを巻き付け可能な余長保持部とされていることを特徴とするケーブル用収納箱。
【請求項２】
請求項１に記載のケーブル用収納箱であって、
前記余長保持部は、突出方向へ向かって広がっていることを特徴とするケーブル用収納箱。
【請求項３】
請求項１に記載のケーブル用収納箱であって、
前記余長保持部は、突出方向の端部に鍔部が形成されていることを特徴とするケーブル収納箱。
【請求項４】
請求項１から３のいずれか一項に記載のケーブル用収納箱であって、
前記余長保持部は、突出方向に沿ってスリットが形成されていることを特徴とするケーブル収納箱。
【請求項５】
８の字巻きしたケーブルを収納するケーブル用収納箱から余分に引き出された余長ケーブルを、請求項１から４の何れか一項に記載のケーブル用収納箱に設けられた前記余長保持部に巻き付けて保持することを特徴とする余長保持方法。
【発明の詳細な説明】
【技術分野】
【０００１】
本発明は、ケーブル用収納箱及びこれを用いた余長収納方法に関する。
【背景技術】
【０００２】
主に室内に布設されるＬＡＮケーブル、インドア用光ケーブルなどの比較的細径のケーブルの収納に、８の字巻きしたケーブルを収納するケーブル用収納箱が用いられている。このケーブル用収納箱は、ケーブルを絡めずに引き出しやすい、いわゆる８の字巻きしたケーブルの状態で収納するもので、一つの面に形成された穴からケーブルが引き出されて布設されるようになっている。このケーブル用収納箱は、使用後つまりケーブルがなくなった後に廃棄が容易となるようにダンボールを主体として形成されている（例えば、特許文献１，２参照）。
【先行技術文献】
【特許文献】
【０００３】
【特許文献１】特許第３９８６０６７号公報
【特許文献２】特開２００１−６３７８４号公報
【発明の概要】
【発明が解決しようとする課題】
【０００４】
上記ケーブル用収納箱においては、室内にケーブルを布設し終わった後、ケーブルを箱から余分に引き出した余長（例えば、５〜１０ｍ程度）が残ることがある。ケーブル用収納箱においては、この余長を箱の中に押し込んでしまうと、箱の中でケーブルが絡まってしまい、次に引き出そうとしてもスムーズに引き出せなかったり、ケーブルにキンク（折れ曲がり）が発生したりして、ケーブルが光ケーブルである場合は断線に至るなどのトラブルの原因となる。このため、布設作業後は箱の近傍でケーブルを切断し、余長は廃棄することとしている。しかしながら、このように余長を廃棄すると、資源の無駄になり、ネットワーク構築コストが増大してしまう。
【０００５】
そこで、本発明は、ケーブルの絡まりを防止しつつ簡便に余長を保持することにより、余長の有効活用を可能にし、資源の有効活用及びネットワーク構築コストを低減することができる、８の字巻きしたケーブルを収納するケーブル用収納箱及びこれを用いた余長収納方法を提供することを目的とする。
【課題を解決するための手段】
【０００６】
上記課題を解決することのできる本発明のケーブル用収納箱は、８の字巻きしたケーブルを収納するケーブル用収納箱であって、
前記ケーブルが引き出される筒状の取り出し口が、外側面の少なくとも一つから外方へ突出され、
前記取り出し口の前記外側面からの突出部分が、余分に引き出された余長ケーブルを巻き付け可能な余長保持部とされていることを特徴とする。
【０００７】
本発明に係るケーブル用収納箱において、前記余長保持部は、突出方向へ向かって広がっていることが好ましい。
【０００８】
本発明に係るケーブル用収納箱において、前記余長保持部は、突出方向の端部に鍔部が形成されていることが好ましい。
【０００９】
本発明に係るケーブル用収納箱において、前記余長保持部は、突出方向に沿ってスリットが形成されていることが好ましい。
【００１０】
また、本発明に係る余長保持方法は、８の字巻きしたケーブルを収納するケーブル用収納箱から余分に引き出された余長ケーブルを、上記の何れかのケーブル用収納箱に設けられた前記余長保持部に巻き付けて保持することを特徴とする。
【発明の効果】
【００１１】
本発明のケーブル用収納箱によれば、その外側面の少なくとも一つから外方へ突出された取り出し口の突出部分からなる余長保持部に、余分に引き出された余長ケーブルを巻き付けるだけで余長ケーブルを保持し、余長保持部における余長ケーブルの保持状態を維持することができる。よって、ケーブルの絡まりを防止しつつ簡便に余長ケーブルを保持することができて保持作業が容易となり、また、余長ケーブルの取り出し作業も余長ケーブルを余長保持部から外せば良いため容易となる。したがって、余長ケーブルを切断して廃棄する必要がなくなることから、余長ケーブルの有効活用を可能にし、資源の有効活用及びネットワーク構築コストを低減することができる。
【００１２】
本発明の余長保持方法によれば、ケーブル用収納箱から外方へ突出された取り出し口の突出部分からなる余長保持部に、余分に引き出された余長ケーブルを巻き付けるだけで余長ケーブルを保持し、余長保持部における余長ケーブルの保持状態を維持することができる。よって、ケーブルの絡まりを防止しつつ簡便に余長ケーブルをケーブル用収納箱に保持することができて保持作業が容易となり、また、余長ケーブルの取り出し作業も余長ケーブルを余長保持部から外せば良いため容易となる。したがって、余長ケーブルを切断して廃棄する必要がなくなることから、余長ケーブルの有効活用を可能にし、資源の有効活用及びネットワーク構築コストを低減することができる。
【図面の簡単な説明】
【００１３】
【図１】本発明に係るケーブル用収納箱の一実施形態の側断面図である。
【図２】ケーブル用収納箱の余長ケーブル保持前の斜視図である。
【図３】ケーブル用収納箱の余長ケーブル保持状態の斜視図である。
【図４】ケーブル用収納箱の余長ケーブル保持状態の側面図である。
【図５】（ａ）はケーブル用収納箱の余長ケーブル保持状態の側面図、（ｂ）は余長保持部の正面図である。
【発明を実施するための形態】
【００１４】
（第１実施形態）
以下、本発明の第１実施形態について図１から図３を参照して説明する。
図１はケーブル用収納箱の側断面図、図２はケーブル用収納箱の余長ケーブル保持前の斜視図、図３はケーブル用収納箱の余長ケーブル保持状態の斜視図、図４はケーブル用収納箱の余長ケーブル保持状態の側面図である。
【００１５】
図１及び図２に示すように、ケーブル用収納箱１１は外形が直方体形状とされている。このケーブル用収納箱１１は、外形を形成する直方体形状の箱本体１２と、箱本体１２内に設けられた板状の支持部材１３とを有している。これら箱本体１２及び支持部材１３はダンボールで形成されている。箱本体１２内には、主に室内に布設されるＬＡＮケーブル、インドア用光ケーブルなどの比較的細径のケーブル１５が、いわゆる８の字巻きした円環状の８の字束ケーブル１５Ａの状態で収納されている。
【００１６】
箱本体１２の一つの外側面１２ａには、引き出し穴１７が形成されており、この引き出し穴１７には、プラスチック材料などで形成されたテーパ筒状の取り出し口１８が嵌合されている。この取り出し口１８は、箱本体１２内において８の字束ケーブル１５Ａを半径方向に貫通しており、円環状の８の字束ケーブル１５Ａの内周側からケーブル１５が取り出し口１８の内側を通って箱本体１２の外側に引き出されるようになっている。なお、支持部材１３は、箱本体１２の引き出し穴１７が形成された外側面１２ａに近接して設けられており、取り出し口１８を支持する。
【００１７】
第１実施形態においては、箱本体１２の外側面の少なくとも一つである外側面１２ａの引き出し穴１７に設けられたテーパ筒状の取り出し口１８が外方へ突出されている。そして、この取り出し口１８の外側面１２ａからの突出部分が、余長保持部２０とされている。この余長保持部２０は、その突出方向へ向かって次第に広がる形状とされている。
【００１８】
ケーブル布設作業の後、ケーブル用収納箱１１内から取り出し口１８の内側を介して引き出されたケーブル１５に、余分に引き出された余長ケーブル１５Ｂが発生すると、作業者は、余長ケーブル１５Ｂを、図３及び図４に示すように、余長保持部２０の外周に巻き付ける。このようにすると、余長ケーブル１５Ｂがケーブル用収納箱１１の外側面１２ａに保持される。
なお、箱本体１２の外側面１２ａには、Ｘ字状あるいは十字状のスリット２３が形成されており、ケーブル用収納箱１１に余長保持部２０で保持された余長ケーブル１５Ｂの端部がこのスリット２３に差し込まれて係止される。なお、余長ケーブル１５Ｂの端部は、ケーブル収納箱１１の外面に接着テープによって貼り付けても良い。
【００１９】
また、このようにケーブル用収納箱１１に保持された余長ケーブル１５Ｂを次の布設作業で使用する場合には、余長保持部２０に巻き付けた余長ケーブル１５Ｂを解くことにより、保持を解除すれば良い。
【００２０】
以上に述べた第１実施形態によれば、ケーブル用収納箱１１の外側面の少なくとも一つである外側面１２ａから外方へ突出された取り出し口１８の突出部分からなる余長保持部２０に、余分に引き出された余長ケーブル１５Ｂを巻き付けるだけで余長ケーブル１５Ｂを保持し、余長保持部２０における余長ケーブル１５Ｂの保持状態を維持することができる。よって、余長ケーブル１５Ｂの長短に拘わらずケーブル１５の絡まりを防止しつつ簡便に余長ケーブル１５Ｂを保持することができて保持作業が容易となり、また、余長ケーブル１５Ｂの取り出し作業も余長保持部２０に巻き付けた余長ケーブル１５Ｂを解けば良いため容易となる。したがって、余長ケーブル１５Ｂを切断して廃棄する必要がなくなることから、余長ケーブル１５Ｂの有効活用を可能にし、資源の有効活用及びネットワーク構築コストを低減することができる。
【００２１】
また、余長保持部２０が突出方向へ向かって広がっているので、巻き付けた余長ケーブル１５Ｂが余長保持部２０に良好に係止される。これにより、巻き付けた余長ケーブル１５Ｂの余長保持部２０からの脱落を防止し、保持状態を良好に維持することができる。
【００２２】
また、ケーブル１５を収納する箱本体１２に対して別体の取り出し口１８の外方への突出部分を余長保持部２０としているため、余長保持部２０が劣化して十分な強度を保てなくなってしまった場合に、余長保持部２０を構成する取り出し口１８を交換することができる。
【００２３】
また、段ボールで形成された箱本体１２に対して、余長保持部２０を構成する取り出し口１８が強度の高いプラスチック材料などから形成されているので、余長保持部２０の強度低下を防止することができる。
【００２４】
（第２実施形態）
次に、本発明の第２実施形態について図５及び図６を参照して、第１実施形態との相違部分を中心に説明する。
図５（ａ）はケーブル用収納箱の余長ケーブル保持状態の側面図、図５（ｂ）は余長保持部の正面図である。
【００２５】
第２実施形態においては、図５（ａ），（ｂ）に示すように、外側面１２ａから外方へ突出された取り出し口１８の突出部分がテーパ筒状でなく、同一径の円筒状に形成されている。そして、この外側面１２ａから外方へ突出された取り出し口１８の突出部分が余長保持部３１とされている。
また、余長保持部３１は、その突出方向の端部に、外周側へ突出する鍔部３２が周方向にわたって形成されている。さらに、この余長保持部３１は、突出方向に沿ってスリット３３が形成されている。
【００２６】
ケーブル布設作業の後、ケーブル用収納箱１１内から取り出し口１８の内側を介して引き出されたケーブル１５に、余分に引き出された余長ケーブル１５Ｂが発生すると、作業者は、余長ケーブル１５Ｂを余長保持部３１のスリット３３へ通して余長保持部３１の外周側へ引き出す。次いで、余長保持部３１の外周側へ引き出した余長ケーブル１５Ｂを、鍔部３２よりも外側面１２ａ側における余長保持部３１の外周に巻き付ける。このようにすると、余長ケーブル１５Ｂがケーブル用収納箱１１の外側面１２ａに保持される。
なお、余長ケーブル１５Ｂの端部は、外側面１２ａに形成されたＸ字状あるいは十字状のスリット２３に差し込むことにより係止させる。なお、余長ケーブル１５Ｂの端部は、ケーブル収納箱１１の外面に接着テープによって貼り付けても良い。
【００２７】
また、このようにケーブル用収納箱１１に保持された余長ケーブル１５Ｂを次の布設作業で使用する場合には、余長保持部３１に巻き付けた余長ケーブル１５Ｂを解くことにより、保持を解除すれば良い。
【００２８】
以上に述べた第２実施形態によれば、ケーブル用収納箱１１の外側面の少なくとも一つである外側面１２ａから外方へ突出された取り出し口１８の突出部分からなる余長保持部３１に、余分に引き出された余長ケーブル１５Ｂを巻き付けるだけで余長ケーブル１５Ｂを保持し、余長保持部３１における余長ケーブル１５Ｂの保持状態を維持することができる。よって、余長ケーブル１５Ｂの長短に拘わらずケーブル１５の絡まりを防止しつつ簡便に余長ケーブル１５Ｂを保持することができて保持作業が容易となり、また、余長ケーブル１５Ｂの取り出し作業も余長保持部３１に巻き付けた余長ケーブル１５Ｂを解けば良いため容易となる。したがって、余長ケーブル１５Ｂを切断して廃棄する必要がなくなることから、余長ケーブル１５Ｂの有効活用を可能にし、資源の有効活用及びネットワーク構築コストを低減することができる。
【００２９】
また、余長保持部３１の突出方向の端部に、外周側へ突出する鍔部３２が形成されているので、巻き付けた余長ケーブル１５Ｂが余長保持部３１に良好に係止される。これにより、巻き付けた余長ケーブル１５Ｂの余長保持部３１からの脱落を防止し、保持状態を良好に維持することができる。
【００３０】
しかも、余長保持部３１に、その突出方向に沿ってスリット３３が形成されているので、このスリット３３に余長ケーブル１５Ｂを通して余長保持部３１の外周へ巻き付けることができる。これにより、余長ケーブル１５Ｂを、余長保持部３１の突出方向の端部へ回り込ませることなく余長保持部３１へ余長ケーブル１５Ｂを巻き付けて保持させることができ、巻き付け作業の容易化することができる。
【００３１】
また、ケーブル１５を収納する箱本体１２に対して別体の取り出し口１８の外方への突出部分を余長保持部３１としているため、余長保持部３１が劣化して十分な強度を保てなくなってしまった場合に、余長保持部３１を構成する取り出し口１８を交換することができる。
【００３２】
また、段ボールで形成された箱本体１２に対して、余長保持部３１を構成する取り出し口１８が強度の高いプラスチック材料などから形成されているので、余長保持部３１の強度低下を防止することができる。
【００３３】
なお、第１実施形態に係る余長保持部２０においても、その突出方向に沿ってスリットを形成しても良く、この場合も、スリットに余長ケーブル１５Ｂを通して余長保持部２０の外周へ巻き付けることができる。これにより、余長ケーブル１５Ｂを、余長保持部２０の突出方向の端部へ回り込ませることなく余長保持部２０へ余長ケーブル１５Ｂを巻き付けて保持させることができ、巻き付け作業の容易化することができる。
【符号の説明】
【００３４】
１１：ケーブル用収納箱、１２ａ：外側面、１５：ケーブル、１５Ａ：８の字束ケーブル、１５Ｂ：余長ケーブル、１８：取り出し口、２０，３１：余長保持部、３２：鍔部、３３：スリット
【図１】
2010168102.tif 000003
【図２】
2010168102.tif 000004
【図３】
2010168102.tif 000005
【図４】
2010168102.tif 000006
【図５】
2010168102.tif 000007